(57)【特許請求の範囲】
【請求項１】
基板と、
前記基板の前面に設けられたスモーク印刷層と、
前記スモーク印刷層の背面に設けられた第１の金属調印刷層と、
前記スモーク印刷層上に印刷され、該スモーク印刷層より線幅が狭い第２の金属調印刷層と、
を備え、
前記第１の金属調印刷層は、前記スモーク印刷層および前記第２の金属調印刷層によって覆われない部分を有することを特徴とする計器板のヘアライン表示構造。
【請求項２】
前記第１の金属調印刷層は、前記基板の前面に設けられ、
前記スモーク印刷層は、前記第１の金属調印刷層上に印刷されていることを特徴とする請求項１に記載の計器板のヘアライン表示構造。
【請求項３】
前記第１の金属調印刷層は、前記基板の背面に設けられ、
前記スモーク印刷層は、前記基板の前面上に印刷されていることを特徴とする請求項１に記載の計器板のヘアライン表示構造。
【請求項４】
前記スモーク印刷層または前記第２の金属調印刷層の線幅がその長手方向に変化することを特徴とする請求項１から３のいずれか一項に記載の計器板のヘアライン表示構造。
【発明の詳細な説明】
【技術分野】
【０００１】
本発明は、自動車等の計器に用いられ、特に、表面にヘアライン模様（恰も、金属素材に線状傷を無数につけることによって仕上げられたかのように見える模様。）を表現した計器板のヘアライン表示構造に関するものである。
【背景技術】
【０００２】
従来の計器板は、プラスチック板等の基板にメタリックインキをベタ印刷してメタル地色層を形成し、このメタル地色層上にスモークインキ等によりメタル仕上げ模様を印刷したものが、広く使用されている。このメタル仕上げでは、安価な方法で、恰も金属板に機械加工を施すことによって加工面に形成されるものと同様のヘアライン模様を基板上に表現することができる。
【０００３】
ところが、かかる従来の計器板では、その印刷層およびメタル仕上げ模様が一層であるために、ヘアライン模様や梨地模様のデザインが単調で、機械加工によるヘアライン模様とは比べものにならない程、リアルさに欠けるという不都合があった。
【０００４】
一方、かかる印刷によるヘアライン模様にリアルさを付与した表示板が、例えば特許文献１に示されている。これは、図５および図６に示すように、基板１と、基板１の表面側に形成されるメタル地色層２と、メタル地色層２の上面に第１スモーク調塗料を印刷して形成される第１加工調模様３１からなる第１デザイン層３と、第１デザイン層３の上面に第２スモーク調塗料を印刷して形成される第２加工調模様４１からなる第２デザイン層４とを備える表示板Ａである。そして第１加工調模様３１と第２加工調模様４１とは略同一形状であり、第２デザイン層４は、第２加工調模様４１と第１加工調模様３１とが交差するように第２加工調模様４１を第１デザイン層３の第１加工調模様３１に対して移動させた状態で施されるという構成である。メタル地色層２、第１デザイン層３および第２デザイン層４が設けられていない領域は数字や目盛などの表示部５である。
【０００５】
従って、この表示板Ａでは、加工調模様３１、４１を施すためのデザイン層は、第１デザイン層３と第２デザイン層４の２層施され、且つ第２加工調模様４１と第１加工調模様３１とが交差することにより、各加工調模様３１、４１による陰影が複雑なものとなる。特に、第２加工調模様４１と第１加工調模様３１との交点近傍では、交点に近づくに連れて模様の密度が高くなり、交点から離れた部分では模様の密度が低くなっている。従って、表示板表面においては、各加工模様３１、４１の濃淡分布が一様ではなく不均一なものになる。このため、表示板Ａの見映えは、あたかも本物の金属加工模様であるかのようになる。
【０００６】
また、図７に示すように、透明な基板１Ａと、この基板１Ａの表面側に印刷によって設けられた第１のヘアライン６と、前記基板１Ａの背面側に印刷によって前記第１のヘアライン６に対応して設けられた第２のヘアライン７と、この第２のヘアライン７の背面側に表示部８となる箇所を除いて設けられた地色層９と、この地色層９を覆う遮光層１０と、基板５の背面側であって表示部８相当部位を覆う白色透過性表示層１１とを有する表示板Ｂが、特許文献２に記載されている。前記第１のヘアライン６および第２のヘアライン７は、無色透明なインクを例えば基板１Ａの中心から放射状に延びる直線で、或いは基板1Ａの中心を原点とする同心円を印刷によって無数形成したものである。
【０００７】
このように透明の基板１Ａの表面側および背面側に印刷によって第１のヘアライン６と第２のヘアライン７を設け、第２のヘアライン７に重ねて地色層９を設けたことにより、安価な方法で細かなヘアラインを表現でき、ヘアラインに立体感を与えることができる。また、地色層９を金属調とすることにより、微細で立体感を帯びたヘアライン付の金属調の装飾部材が得られる。
【０００８】
また、図８に示すように、樹脂基板１２と、この上（下面）に形成された有色の意匠層１３と、樹脂基板１２における意匠層１３が形成された意匠面とは反対側の面に形成された、凹部１４ａと凸部１４ｂとが交互に複数配されてなる凹凸層１４とを有し、凹凸層１４が、凹部１４ａの厚みよりも凸部１４ｂの厚みが大きくなるように紫外線硬化性インクの液滴をインクジェット印刷により印刷し硬化させた表示板Ｃが、特許文献３に示されている。意匠層１３は表示部１５を除く領域で金属着色層１６、黒色着色層１７および白色印刷層１８の三層構造になっている。
【０００９】
この表示板Ｃでは、意匠面側とは反対側の面に、透明の凹凸層１４が形成され、この凹凸層１４は、複数の凹部１４ａと複数の凸部１４ｂとが交互に同心円状に配されて同心円模様とされることで、この凹凸層１４の同心円模様によって干渉縞を生じさせ、運転者等に意匠面側の金属着色層１６に基づく金属の光沢及び質感を看取させることができる。
【００１０】
さらに、図９に示すように、透明平板からなる被印刷シート１９の背面に、光の反射により金属光沢を発する光反射層２０をスクリーン印刷により印刷形成する一方、かかる被印刷シート１９における光反射層２０とは反対側の表面に、多数の同心円が一定ピッチで円形凸条２１ａが描かれてなる同心円状模様のスピンドルパターン２１と、該スピンドルパターン２１の中心部分から放射状に延びる放射状模様を有する放射状パターン２２とを、光透過性を有するインキを用いたスクリーン印刷により積層形成した計器板Ｄが、特許文献４に示されている。ここで、スピンドルパターン２１および放射状パターン２２は光透過性のインクをスクリーン印刷したものからなる。また、光反射層２０の背面には遮光層２３が設けられている。
【００１１】
この計器板Ｄでは、被印刷シート１９の背面に形成された光反射層２０から金属光沢が発せられるため、かかる光反射層２０の被印刷シート１９側の面が鏡面として機能し、それによって被印刷シート１９の表面に、光透過性を有するインキを用いて形成されたスピンドルパターン２１が、かかる光反射層２０に写し出されて、あたかも被印刷シート１９の表面と背面の両面上に形成された如き状態とされる。このため、このような計器板Ｄでは、被印刷シート１９の表面上に実際に形成されたスピンドルパターン２１と、被印刷シート１９背面の光反射層２０に写し出されたスピンドルパターンとの間で見掛け上のズレが生じ、反射光が回転して見えるスピン効果が、効果的に発揮される、従って、そのようなスピン効果と光反射層２０において発する金属光沢効果とが相俟って、機械加工により切削された金属表面と同様のヘアラインパターンが、被印刷シート１９の表面に高い質感でリアルに表現される。
【００１２】
ところが、特許文献１〜４に記載の表示板は、いずれも金属調印刷層を下地として、その上に透明性または光透過性のインクによってヘアラインを印刷したり、厚盛インクでヘアラインを印刷したりして、ヘアラインに光沢感の変化や質感が得られるようにしているものの、そのヘアラインを表現する印刷に透明性のインクや厚盛インクを使っているのみであるために、前記ヘアラインの光沢感の変化やヘアラインの質感に十分に強い印象を与えることができないという不都合があった。また、前記従来のいずれの表示板でも、金属板の上に僅かなヘアラインが引かれているといった印象しか得られず、印刷面から離れて看取すると、ヘアラインとして視認しづらいという不都合があった。
【００１３】
これに対して、メタリック系インキでベタ印刷部分のみが印刷されている部分と、ベタ印刷部分とヘアラインのパターン印刷部分とが２層に重なった部分を混在させることによって、２つの部分の発色濃淡および凹凸（陰影）を金属調に強調することができる金属質面の表現構造が、特許文献５に示されている。
【先行技術文献】
【特許文献】
【００１４】
【特許文献１】特開２００８−０１５３５５号公報
【特許文献２】特開２００８−１３４１６４号公報
【特許文献３】特開２００７−２４９０２８号公報
【特許文献４】特開２００５−１１１６８５号公報
【特許文献５】特開２００６−３２７１１７号公報
【発明の概要】
【発明が解決しようとする課題】
【００１５】
しかしながら、上述した特許文献５に記載の従来の金属質面の表現構造は、解決すべき以下の問題を有している。
即ち、ベタ印刷部分とパターン印刷部分の印刷を同色（または同種）のメタリックインキで行うため、発色の濃淡が十分に強調されず、また凹凸についても２回の印刷で発生する凹凸であるため、陰影の強調度が小さいものとなっており、ヘアラインを印刷面から離れた位置から十分に視認（識別）できない。
【００１６】
本発明は、上述した事情に鑑みてなされたものであり、その目的は、２層の金属調の見栄えを異ならせることで、光沢感の変化を強調しながらヘアラインの印象を強めることができ、従って、印刷面から離れた位置からもヘアラインを顕著に認識できる計器板のヘアライン表示構造を提供することにある。
【課題を解決するための手段】
【００１７】
前述した目的を達成するために、本発明に係る計器板のヘアライン表示構造は、下記（１）〜（４）を特徴としている。
（１）  基板と、
前記基板の前面に設けられたスモーク印刷層と、
前記スモーク印刷層の背面に設けられた第１の金属調印刷層と、
前記スモーク印刷層上に印刷され、該スモーク印刷層より線幅が狭い第２の金属調印刷層と、
を備え、
前記第１の金属調印刷層は、前記スモーク印刷層および前記第２の金属調印刷層によって覆われない部分を有すること。
（２）  上記（１）の構成の計器板のヘアライン表示構造であって、
前記第１の金属調印刷層は、前記基板の前面に設けられ、
前記スモーク印刷層は、前記第１の金属調印刷層上に印刷されていること。
（３）  上記（１）の構成の計器板のヘアライン表示構造であって、
前記第１の金属調印刷層は、前記基板の背面に設けられ、
前記スモーク印刷層は、前記基板の前面上に印刷されていること。
（４）  上記（１）〜（３）のいずれか一つの構成の計器板のヘアライン表示構造であって、
前記スモーク印刷層または前記第２の金属調印刷層の線幅がその長手方向に変化すること。
【００１８】
上記（１）の構成の計器板のヘアライン表示構造によれば、第１の金属調印刷層のうち、スモーク印刷層および第２の金属調印刷層によって覆われない部分を直視できる部分と、スモーク印刷層を通して見ることができる部分とが生じるため、その第１の金属調印刷層の見え方が異なり、ヘアラインとして光沢感の変化を、見る側に感じさせることができる。
上記（２）の構成の計器板のヘアライン表示構造によれば、基板前面の第１の金属調印刷層のうち、スモーク印刷層および第２の金属調印刷層によって覆われない部分を直視できる部分と、スモーク印刷層を通して見ることができる部分とが生じるため、その第１の金属調印刷層の見え方が異なり、ヘアラインとして光沢感の変化を、見る側に感じさせることができる。同時に、第２の金属調印刷層と、該第２の金属調印刷層と段差をもって配置された第１の金属調印刷層との見栄えの違いによって、この部分でのヘアラインの光沢感の違いがさらに顕著になる。従って、ヘアラインの光沢感の変化が一層強調されることとなり、このヘアライン模様を計器板などから離れた位置からでも視認容易となる。
上記（３）の構成によれば、基板背面の第１の金属調印刷のうち、スモーク印刷層および第２の金属調印刷層によって覆われない部分を透明の基板を通して直視できる部分と、スモーク印刷層を通して見ることができる部分とがあるため、その第１の金属調印刷層の見え方が異なり、ヘアラインとして光沢感の変化を、見る側に感じさせることができる。同時に、第２の金属調印刷層と、該第２の金属調印刷層と段差をもって配置された第１の金属調印刷層との見栄えの違いによって、この部分でのヘアラインの光沢感の違いがさらに顕著になる。従って、ヘアラインの光沢感の変化が一層強調されることとなり、このヘアライン模様を計器板などから離れた位置からでも視認容易となる。
上記（４）の構成によれば、ヘアラインの光沢感がさらに微妙に変化することとなり、ヘアラインの印象をさらに効果的に高めることができる。また、印刷面から離れた位置からでも、ヘアラインを近くで見た場合と同様に認識できる。
【発明の効果】
【００１９】
本発明によれば、第１の金属調印刷層と第２の金属調印刷層との２層の、計器板前面からの見栄えを異ならせたことで、各ヘアラインの光沢感や質感の変化を強調しながらこれらの印象を強めることができ、印刷面から離れた位置からもそのヘアラインを顕著に認識できる。
【００２０】
以上、本発明について簡潔に説明した。更に、以下に説明される発明を実施するための形態を添付の図面を参照して通読することにより、本発明の詳細は更に明確化されるであろう。
【図面の簡単な説明】
【００２１】
【図１】本発明の一実施形態にかかる計器板のヘアライン表示構造を示す断面図である。
【図２】本発明の他の実施形態にかかる計器板のヘアライン表示構造を示す断面図である。
【図３】図１におけるヘアラインの印刷の幅が異なる第２の金属調印刷層を示す説明図である。
【図４】図１におけるＩＶで囲まれる領域を、ドット印刷によって調整可能にする状況を示す説明図である。
【図５】従来の計器板を示す部分正面図である。
【図６】図５におけるＰ−Ｐ線断面図である。
【図７】従来の他の計器板を示す部分断面図である。
【図８】従来の他の計器板を示す部分断面図である。
【図９】従来の他の計器板を示す部分断面図である。
【発明を実施するための形態】
【００２２】
以下、本発明の一実施形態にかかる計器板のヘアライン表示構造を図１乃至図４を参照して説明する。
【００２３】
図１に示す本実施形態の計器板のヘアライン表示構造は、基板５１と、遮光層５２と、第１の金属調印刷層５３と、スモーク印刷層５４と、第２の金属調印刷層５５とを有する。
【００２４】
基板５１は、表背面が平滑に形成されたプラスチック板やガラス板等の印刷用素材から構成されている。この基板５１には、車両の速度等を示す数字、目盛、文字等の表示部（図示しない）が設けられ、これらを除く部位に第１の金属調印刷層５３、スモーク印刷層５４および第２の金属調印刷層５５が設けられる。
【００２５】
遮光層５２は、黒色インキ等からなる印刷層であり、基板５１の背面側からの光の入射を遮断し、例えば基板の背面側に目盛や数字などを表示するための光源が設置された場合に、その光源の点灯によって上層の第１の金属調印刷層５３が透けて表面側に表出されることを防ぐように機能する。
【００２６】
第１の金属調印刷層５３は、アルミニウム紛、ブロンズ紛などの金属粉や雲母に酸化チタンや酸化鉄をコーティングして作られたパール顔料を用いたメタリックインキの印刷層からなる。従って、この第１の金属調印刷層５３は金、銀、パールなどの金属色を表出することとなる。この第１の金属調印刷層５３は、車両の速度等を示す数字、目盛、文字などの表示部を除く部位の基板５１上に遮光層５２を介して印刷される。
【００２７】
また、スモーク印刷層５４は、詳細は後述する第２の金属調印刷層５５の幅よりも広幅で、第１の金属調印刷層５３上に印刷されている。このスモーク印刷層５４としては、例えばメジウムと墨インク等を混練して光沢や透明度を増したクリア系塗料やマット剤と墨インキ等を混練して光沢を抑えたマット系塗料が用いられる。
【００２８】
第２の金属調印刷層５５は、スモーク印刷層５４上に印刷される。この第２の金属調印刷層５５はスモーク印刷層５４の幅よりも十分に幅狭となっており、従ってスモーク印刷層５４は、本実施形態の計器板を上面視した際に、第２の金属調印刷層５５の両側に大きくはみ出している。
【００２９】
従って、本実施形態の計器板は、透明の基板５１上に遮光層（必要に応じて省かれる）５２、第１の金属調印刷層５３、スモーク印刷層５４、第２の金属調印刷層５５の順にて印刷される。この印刷工程にて得られる計器板では、第１の金属調印刷層５３については隣り合うスモーク印刷層５４の間を通してこの第１の金属調印刷層５３が直接看取される部分と、スモーク印刷層５４を透過して第１の金属調印刷層５３が間接的に看取される部分とが生じる。従って、第１の金属調印刷層５３の看取される２つの部分の見え方の違いに加え、第２の金属調印刷層５５の存在により、金属調印刷層５３、５５の長手方向に延びるヘアライン模様を実現するとともに、これら２つの金属調印刷層５３、５５の光沢感の変化（違い）を、見る側に顕著に感じさせることができる。
【００３０】
また、第１の金属調印刷層５３および第２の金属調印刷層５５は、スモーク印刷層５４の厚み分だけ、その積層方向の高さに差がある。この高さの差によって共に直接見える部分である第１の金属調印刷層５３と第２の金属調印刷層５５との見栄えの違いが生じ、この部分でも光沢感の違いを見る側に顕著に感じさせることができる。従って金属調印刷層と金属調でない透過性インクや厚盛インクを使ってヘアラインを表現している従来のものに比べて、光沢感の変化が一層強調され、計器板を看取する者に、ヘアラインを明瞭に印象付けることができる。
【００３１】
また、第１の金属調印刷層５３および第２の金属調印刷層５５の２層を用いた構成により、ヘアラインを構成する一方の印刷層が金属調印刷層でない従来の例えば透明やスモークのインキを使った印刷層に比べて、ヘアラインが大きく強調される。従って、これらの印刷面を離れた位置から見ても、ヘアラインが明瞭に認識可能となる。なお、前記計器板が円板である場合には、前記第１の金属調印刷層５３および第２の金属調印刷層５５はヘアラインの加工模様が、例えば１つの点を中心とする複数の同心円として形成される。
【００３２】
以上のように、本実施形態の計器板のヘアライン表示構造によれば、基板５１上の第１の金属調印刷層５３のうち、スモーク印刷層５４および第２の金属調印刷層５５によって覆われない部分を直視できる部分と、スモーク印刷層５４を通して見ることができる部分とができることで、その第１の金属調印刷層５３の見え方が異なり、ヘアラインとして光沢感の変化（違い）を見る側に感じさせる。同時に、第２の金属調印刷層５５とスモーク印刷層５４の段差分離れた第１の金属調印刷層５３との見栄えの違いによって、この部分でのヘアラインの光沢感の違いがさらに顕著になる。従って、各ヘアラインの光沢感の変化が一層強調されることで、そのヘアライン模様を計器板などから離れた位置から視認容易となる。
【００３３】
図２は、本発明の他の実施形態を示す。この実施形態では、基板５１Ａとして透明版を用い、この基板５１Ａの背面側に上述した同様の第１の金属調印刷層５３を印刷し、さらにこの第１の金属調印刷層５３の背面（下面）側に黒インキによる遮光層５２が印刷される。また、基板５１Ａの表面側には、所定幅の複数本のスモーク印刷層５４が印刷され、これらのスモーク印刷層５４上に、このスモーク印刷層５４よりも幅が狭い第２の金属調印刷層５５が、図１に示した場合と同様に重ねて印刷されている。
【００３４】
この実施形態では、基板５１Ａの背面に第１の金属調印刷層５３が印刷されているが、基板５１Ａが透明板であるため、計器板の前方からは、この透明の基板５１ａを透過してこれの背面にある第１の金属調印刷層５３を看取できる。従って、先に述べた実施形態と同様、この基板５１Ａを通して看取される第１の金属調印刷層５３と直接看取される第２の金属調印刷層５５との見栄えの違いにより、これらの間でのヘアラインの光沢感や質感の違いを、表示面から離れた位置から見る者に看取させることができる。
【００３５】
ところで、図１に示す計器板において、第２の金属調印刷層５５を構成する印刷層の幅を、所望するヘアライン模様に従って例えば図３に示すように変化させることもできる。この場合には、ヘアラインの光沢感および質感の変化がより強調され、第２の金属調印刷層５５の隣り合うものどうしが接近したり離れたりすることで、ヘアラインの印象を強めることができる。このようなヘアライン構成は、図２に示すような計器板についても採用することができる。
【００３６】
さらに、スモーク印刷層５４および第２の金属調印刷層５５をドット印刷することにより、各印刷層の濃淡を任意に調整することができる。図４は、図１におけるＩＶで囲まれる領域を、ドット印刷によって調整可能にする状況を示す説明図である。この図４では、スモーク印刷層５４が、ドット印刷されたドットの密度が高い密領域（「濃」で示される範囲）と、ドット印刷されたドットの配置密度が低い疎領域（「淡」で示される範囲）と、によって形成されている。ドットの密度が高いほど色が濃く、ドットの密度が低いほど色が薄く見える。また、第２の金属調印刷層５５も、スモーク印刷層５４上にドット印刷されている。第２の金属調印刷層５５は、スモーク印刷層５４と同様、ドットの密度を調整することで濃淡を変えることができる。このようなドットがヘアライン方向に沿って形成されている。これにより、ヘアラインの光沢感や質感の変化がさらに強調され、印刷面から離れた位置から見た場合にも、ヘアラインの印象を強めることができる。
【００３７】
なお、本実施形態による印刷方法は、ヘアラインのみでなく、金属調印刷層上に何らかの印刷で線を表現する印刷を施し、金属を感じさせる表現には有効で、例えばクロスラインなどもこの方法で印刷することで、質感の高い印刷を施すことができる。
【００３８】
以上、本実施形態の計器板のヘアライン表示構造によれば、基板５１Ａ上の第１の金属調印刷層５３のうち、スモーク印刷層５４および第２の金属調印刷層５５によって覆われない部分を透明の基板５１Ａを通して直視できる部分と、スモーク印刷層５４を通して見ることができる部分とがあるため、その第１の金属調印刷層５３の見え方が異なり、ヘアラインとして光沢感の変化を見る側に感じさせることができる。また、第２の金属調印刷層５５と、スモーク印刷層５４、基板５１Ａの段差分離れた第１の金属調印刷層５３との見栄えの違いによって、この部分でのヘアラインの光沢感の違いがさらに顕著に各ヘアライン模様を計器板などから離れた位置からでも視認容易となる。
【００３９】
また、本実施形態の計器板のヘアライン表示構造は、スモーク印刷層５４および第２の金属調印刷層５５の線幅がその長手方向に変化する構成としたことで、そのヘアラインの光沢感がさらに微妙に変化することとなり、ヘアラインの印象をさらに顕著に高めることができる。
【符号の説明】
【００４０】
５１、５１Ａ  基板
５２  遮光層
５３  第１の金属調印刷層
５４  スモーク印刷層
５５  第２の金属調印刷層
【図１】
0005545948.tif 000002
【図２】
0005545948.tif 000003
【図３】
0005545948.tif 000004
【図４】
0005545948.tif 000005
【図５】
0005545948.tif 000006
【図６】
0005545948.tif 000007
【図７】
0005545948.tif 000008
【図８】
0005545948.tif 000009
【図９】
0005545948.tif 000010